(57)【要約】【課題】  本発明によるディスプレイ装置は、光源のターンオン／ターンオフ動作時に電流応答速度を改善して、ディスプレイ特性が向上されたディスプレイ装置を提供する。【解決手段】  本発明のディスプレイ装置は、所定の駆動電流を出力する電流発生部と；前記電流発生部から出力される前記駆動電流を前記光源に供給する第１経路と；前記光源に供給される前記駆動電流を横取りする第２経路と；前記電流発生部から出力される前記駆動電流を前記第１経路と前記第２経路の中、いずれか一つに供給するスイッチング部と；前記光源のターンオン動作時に前記電流発生部から出力される前記駆動電流を前記第１経路に供給して、前記光源のターンオフ動作時に前記駆動電流を前記第２経路に供給するように前記スイッチング部を制御する制御部を含む。【選択図】      図３
2007013141.tif 000002
【特許請求の範囲】
【請求項１】
光源を含むディスプレイ装置において、
所定の駆動電流を出力する電流発生部と；
前記電流発生部から出力される前記駆動電流を前記光源に供給する第１経路と；
前記光源に供給される前記駆動電流を横取りする第２経路と；
前記電流発生部から出力される前記駆動電流を前記第１経路と前記第２経路の中のいずれか一つに供給するスイッチング部と；
前記光源のターンオン動作時に前記電流発生部から出力される前記駆動電流を前記第１経路に供給し、前記光源のターンオフ動作時に前記駆動電流を前記第２経路に供給するように前記スイッチング部を制御する制御部を含むことを特徴とするディスプレイ装置。
【請求項２】
前記光源は、
発光ダイオード（ＬＥＤ）を含むことを特徴とする請求項１に記載のディスプレイ装置。
【請求項３】
前記制御部は、
前記光源のターンオン動作時に前記静電流発生部から出力される前記駆動電流を前記第１経路に供給するように前記スイッチング部を遮断させ、前記光源のターンオフ動作時に前記駆動電流を前記第２経路に供給するように前記スイッチング部を導通させるためのＰＷＭ制御信号を前記スイッチング部に出力することを特徴とする請求項２に記載のディスプレイ装置。
【請求項４】
前記制御部は、
前記光源のターンオン動作が遂行されると、前記第２経路に供給される前記駆動電流が前記第１経路を通して前記光源に供給されるように前記スイッチング部をターンオフさせることを特徴とする請求項３に記載のディスプレイ装置。
【請求項５】
前記第１経路と前記第２経路は相互に並列で形成され、
前記スイッチング部は、前記第２経路に形成されて、前記制御部の制御によりターンオン／ターンオフされるトランジスターを含むことを特徴とする請求項４に記載のディスプレイ装置。
【請求項６】
前記制御部は、
ディスプレイ装置のターンオフが選択される場合、前記電流発生部をディセーブルさせることを特徴とする請求項５に記載のディスプレイ装置。
【請求項７】
前記制御部は、
前記光源のターンオンが遂行されると、前記第２経路に供給される前記駆動電流が前記第１経路を通して、前記光源に供給されるように前記スイッチング部をターンオフされるころを特徴とする請求項１に記載のディスプレイ装置。
【請求項８】
前記第１経路と前記第２経路は相互に並列で形成され、
前記スイッチング部は、前記第２経路に形成されて、前記制御部の制御によりターンオン／ターンオフされるトランジスターを含むことを特徴とする請求項７に記載のディスプレイ装置。
【請求項９】
前記制御部は、
ディスプレイ装置のターンオフが選択される場合、前記電流発生部をディセーブルさせることを特徴とする請求項８に記載のディスプレイ装置。
【発明の詳細な説明】
【技術分野】
【０００１】
本発明は、光源を含むディスプレイ装置に関し、より詳細には光源のターンオン／ターンオフ動作時に電流応答速度を改善して、ディスプレイ特性が向上したディスプレイ装置に関する。
【背景技術】
【０００２】
ディスプレイ装置は、より向上された色再現のために光源の素材として従来のＣＣＦＬ（Ｃｏｌｄ  Ｃａｔｈｏｄｅ  Ｆｌｏｕｒｓｃｅｎｔ  Ｌａｍｐ）を利用する方式から発光ダイオード(以下、ＬＥＤ)を利用する方式に変化する傾向にある。このようにＬＥＤ素子を利用した光源を備えるディスプレイ装置は、ＬＥＤ光源を利用することによって色再現の性能を向上させる。
【０００３】
このようなＬＥＤ光源を有する従来のディスプレイ装置は、ＬＥＤ光源を制御するためリニア方式とスイッチング方式の中のいずれか一つを利用する。従来のリニア方式を利用するＬＥＤ光源の制御方法と、従来のスイッチング方式を利用するＬＥＤ光源の制御方法を、図１Ａ及び図１Ｂを参照して簡単に説明する。
【０００４】
従来のリニア方式を利用する場合、ＬＥＤ光源に供給するための電圧を発生する静電圧源と、前記静電圧源から供給される電圧による電流が前記ＬＥＤ光源で流れるようにスイッチングするスイッチング部と、前記スイッチング部をターンオン／ターンオフさせるＰＷＭ発生部を含む。
【０００５】
従来のリニア方式を利用するＬＥＤ光源制御は、図１Ａに示されたように、ＬＥＤ素子に流れる電流特の性中、電流供給初期に該当するリニア領域(ａ)の一電流(ｉａ)を前記ＬＥＤ光源に供給する。また、リニア方式は、前記ＬＥＤ光源に常にリニア領域(ａ)の一電流(ｉａ)を供給しなければならないため、前記ＬＥＤ光源の負荷電流量が大きい場合、リニア領域(ａ)の一電流(ｉａ)を持続的に供給するために前記スイッチング部で発生する電圧損失が大きくなる短所がある。
【０００６】
従来のスイッチング方式を利用する場合、ＬＥＤ光源に供給する電流を発生する静電流源と、前記静電流源から供給される電流が前記ＬＥＤ光源に流れるようにスイッチングするスイッチング部と、前記スイッチング部をターンオン／ターンオフさせるＰＷＭ発生部を含む。従来のスイッチング方式を利用するＬＥＤ光源の制御は、図１Ｂに示されたように、前記ＬＥＤ光源を点灯させるためのＰＷＭオン区間(ｔ１〜ｔ３、ｔ５〜)で前記ＬＥＤ光源にｉａ電流が流れるようになり、前記ＬＥＤ光源を消灯させるためのＰＷＭオフ区間(ｔ３〜ｔ５)で前記ＬＥＤ光源に“０”電流が流れるようになる。ここで、ＰＷＭオン区間(ｔ１〜ｔ３、ｔ５〜)では、前記ＬＥＤに流れる電流の大きさにより前記スイッチング部がオン/オフになり、ｔ２〜ｔ３区間のように前記ＬＥＤ光源に流れる電流の大きさが微細に脈動して、平均ｉａ電流が流れるようになる。
【０００７】
このような、従来のスイッチング方式を利用する場合は、前記ＬＥＤ光源の負荷電流量の大きさに影響を受けない。しかし、従来のスイッチング方式を利用すると、図１Ｂに示されたように、ＰＷＭオフ区間で進入時(ｔ３)に前記ＬＥＤ光源に流れる電流が“０’になるのにかかる時間(Ｔ２)と、ＰＷＭオン区間に進入時(ｔ１、ｔ５)に前記ＬＥＤ光源に流れる電流が平均ｉａ電流に到達するのにかかる時間(Ｔ１)が長くなる。従って、従来のスイッチング方式を利用してＬＥＤ光源を制御する従来のディスプレイ装置は、ＬＥＤ光源の点灯／消灯時に早い応答の特性を有するには限界がある。
【発明の開示】
【発明が解決しようとする課題】
【０００８】
本発明の目的は、光源のターンオン／ターンオフ動作時に電流応答速度を改善して、ディスプレイ特性が向上されたディスプレイ装置を提供することである。
【課題を解決するための手段】
【０００９】
前記目的は、光源を含むディスプレイ装置において、所定の駆動電流を出力する電流発生部と；前記電流発生部から出力される前記駆動電流を前記光源で供給する第１経路と；
前記光源に供給される前記駆動電流を横取りする第２経路と；前記電流発生部から出力される前記駆動電流を前記第１経路と前記第２経路中いずれか一つに供給するスイッチング部と；前記光源のターンオン動作時に前記電流発生部から出力される前記駆動電流を前記第１経路に供給し、前記光源のターンオフ動作時に前記駆動電流を前記第２経路に供給するように前記スイッチング部を制御する制御部を含むことを特徴とするディスプレイ装置により達成される。
【００１０】
ここで、前記光源は、発光ダイオードを含むことが望ましい。
【００１１】
また、前記制御部は、前記光源のターンオン動作時に前記静電流発生部から出力される前記駆動電流を前記第１経路に供給するように前記スイッチング部を遮断させ、前記光源のターンオフ動作時に前記駆動電流を前記第２経路に供給するように前記スイッチング部を導通させるためのＰＷＭ制御信号を前記スイッチング部に出力することが望ましい。
【００１２】
ここで、前記制御部は、前記光源のターンオフ動作中に前記光源のターンオン動作が遂行されると、前記第２経路に供給される前記駆動電流が前記第１経路を通して、前記光源に供給されるように前記スイッチング部を遮断させることが望ましい。
【００１３】
また、前記第１経路と前記第２経路は互に平行形成され、前記スイッチング部は前記第２経路に形成され、前記制御部の制御によりターンオン／ターンオフされるトランジスターを含むことが望ましい。
【００１４】
また、前記制御部は、ディスプレイ装置のターンオフが選択される場合、前記電流発生部をディセーブルさせることが望ましい。
【発明の効果】
【００１５】
また、本発明によれば、光源のターンオン／ターンオフ動作時に電流応答速度を改善して、ディスプレイ特性が向上されたディスプレイ装置を提供できる。
【発明を実施するための最良の形態】
【００１６】
以下では添付図を参照して、本発明について詳細に説明する。
【００１７】
図２に図示されたように、本発明によるディスプレイ装置は光源２０と、所定の駆動電流を出力する電流発生部１０と、電流発生部１０から出力される前記駆動電流を光源２０に供給する第１経路２ａと、光源２０に供給される前記駆動電流を横取りする第２経路２ｂと、電流発生部１０から出力される前記駆動電流を第１経路２ａと第２経路２ｂ中のいずれか一つに供給するスイッチング部３０と、光源２０のターンオン動作時に電流発生部１０から出力される前記駆動電流を第１経路２ａに供給し、光源２０のターンオフ時に前記駆動電流を第２経路２ｂに供給するようにスイッチング部３０を制御する制御部４０と、使用者入力部５０を含む。
【００１８】
光源２０は、映像をディスプレイするためのディスプレイ部（図示せず）に光を提供する機能を有し、第１経路２ａに形成される発光ダイオードＬＥＤであることが望ましい。このようなＬＥＤ光源２０は複数のＬＥＤ素子を含むことも可能である。
【００１９】
電流発生部１０は、ＬＥＤ光源２０で所定の駆動電流を提供する機能を遂行する。このような電流発生部１０は、ＬＥＤ光源２０により決定される電源ＶＦを発生するための電源Ｖｓと、ＬＥＤ光源２０の明るさを所定の指令値に合わせて維持させるために電流の流れを制御するＰＷＭ発生部１４と、電源ＶｓからＬＥＤ光源２０に供給される電流の流れを断続する電流維持スイッチング部１２と、第１経路２ａ及び第２経路２ｂが分岐される地点と電流維持スイッチング部１２の間に形成されるインダクターＬと、第１経路２ａ及び第２経路２ｂが一つに合わせる地点と電源Ｖｓの間に形成される電流感知用抵抗Ｒｓと、電流感知用抵抗Ｒｓと電源Ｖｓの間にアノード端が連結され電流維持スイッチング１２とインダクターＬの間にカソード端が連結されるダイオードＤを含む。
【００２０】
電流維持スイッチング部１２は、電源ＶｓからＬＥＤ光源２０に提供するための電流の流れを規制する役割を果たし、ＰＷＭ発生部１４からのＰＷＭ制御によってオン／オフされる金属酸化膜シリコン電界効果トランジスター（ＭＯＳＦＥＴ）に形成されることが望ましい。
【００２１】
ＰＷＭ発生部１４は、電流維持スイッチング部１２をＰＷＭ制御して、電流発生部１０がＬＥＤ光源２０の明るさを所定の指令分に合わせて維持させられる一定の駆動電流を出力するようにする。このような、ＰＷＭ発生部１４は、ディスプレイ装置の駆動初期に制御部４０からＬＥＤ光源２０の点灯制御信号（前記所定の指令分）が印加され、これに伴い電流維持スイッチング部１２をオンさせる。以後ＰＷＭ発生部１４は、電流感知用抵抗（Ｒｓ）にかかる比較電圧を検出して、前記検出した比較電圧と前記所定の指令分を比較して、第１経路２ａと第２経路２ｂの中のいずれか一つの経路で流れる電流の大きさが所定の電流分の以上であるか否かを判断する。ここで、ＰＷＭ発生部１４は、前記検出した比較電圧が前記所定の指令分の以上の場合、電流維持スイッチング部１２をオフさせる。電流維持スイッチング部１２をオフさせた後、所定の周期時間が経過すると、ＰＷＭ発生部１４は電流維持スイッチング部１２をオンさせる。このように、ＰＷＭ発生部１２は、ディスプレイ装置の駆動初期に制御部４０の制御により電流維持スイッチング部１２をオンさせて、電流感知用抵抗（Ｒｓ）にかかる比較電圧と前記所定の指令分の比較結果及び所定の周期時間に基づき、電流維持スイッチング部１２を反復的にオン／オフ制御する。これに、電流発生部１０はディスプレイ装置が駆動状態の場合、ＬＥＤ光源２０のターンオン／ターンオフと関係なく一定の駆動電流を出力することができる。
【００２２】
ディスプレイ装置の駆動がオフされる場合、ＰＷＭ発生部１４は制御部４０の制御によりディセーブルされて電流発生部１０は駆動電流を出力しないことが望ましい。
【００２３】
スイッチング部３０は、電流発生部１０から出力される前記駆動電流を第１経路２ａと第２経路２ｂの中のいずれか一つに供給する役割を果たす。このようなスイッチング部３０は第２経路２ｂに形成され、制御部４０からのＰＷＭ制御信号によってオン／オフされ、電流発生部１０からＬＥＤ光源２０に提供される前記駆動電流を横取りする金属酸化膜シリコン電界効果トランジスターに形成されることが望ましい。
【００２４】
制御部４０は使用者入力部５０を通して、ディスプレイ装置の電源キー（図示せず）によって電源が印加されると、ディスプレイ装置の駆動が始まるように装置内の各回路部（図示せず）を制御すると同時に、ＬＥＤ光源２０の点灯制御信号（前記所定の指令分）をＰＷＭ発生部１４に出力する。
【００２５】
また、制御部４０はＬＥＤ光源２０のターンオンが遂行されると、電流発生部１０から出力される前記駆動電流を第１経路２ａに供給し、ＬＥＤ光源２０のターンオフが遂行されると、前記駆動電流を第２経路２ｂに供給するようにスイッチング部３０を制御するためのＰＷＭ制御信号を出力する。即ち、制御部４０はＬＥＤ光源２０のターンオン時には静電流発生部１０から出力される前記駆動電流をＬＥＤ光源２０に供給するようにスイッチング部３０をオフさせて、ＬＥＤ光源２０のターンオフ時にはＬＥＤ光源２０に供給された前記駆動電流が第２経路２ｂに供給されるようにスイッチング部３０をオンさせる。
【００２６】
ここで、ＬＥＤ光源２０のターンオン／ターンオフが遂行される場合を例として説明すると、次のようになる。例えば、現在ディスプレイしようとする映像にＢ（青)だけを必要としない場合、Ｒ（赤)、Ｇ（緑)、Ｂ（青)を表示する各々のＬＥＤ光源の中、Ｒ、Ｇに該当するＬＥＤ光源はターンオンが遂行されるため、Ｒ、Ｇに該当するＬＥＤ光源には駆動電流が供給される一方、Ｂに該当するＬＥＤ光源はターンオフが遂行されるため、Ｂに該当するＬＥＤ光源には駆動電流が供給されない。
【００２７】
ここで、本発明によるディスプレイ装置は、ＤＬＰ（Ｄｉｇｉｔａｌ  Ｌｉｇｈｔ  Ｐｒｏｃｅｓｓｉｎｇ)、ＬＣＤ（液晶表示）、ＰＤＰＰ（プラズマ表示パネル）等のようにＬＥＤ光源２０を利用して、映像をディスプレイできる構成であれば適用可能である。特に、本発明のディスプレイ装置はＤＬＰ方式で映像をディスプレイすることが望ましい。
【００２８】
ここで、本発明によるディスプレイ装置においてのＬＥＤ光源２０を制御する方式を、スイッチング部３０を制御するＰＷＭ制御信号、インダクター（Ｌ）の電流波形及びＬＥＤ光源２０駆動電流波形の例示図である図３を参照して説明する。
【００２９】
ディスプレイ装置の電源キー（図示せず)によって電源が印加されて、ディスプレイ装置の駆動が始まると（ｔ１時刻）、制御部４０は所定の指令分による駆動電流を出力するように電流発生部１０を制御する。このような前記駆動電流の出力は、ＰＷＭ発生部１４が制御部４０から点灯制御信号（前記所定の指令分)の入力を受けて、これによって電流維持スイッチング部１２をオンさせることから始まる。この時、制御部４０は図３（Ａ）に示されたように、スイッチング部３０をオフさせるためのＰＷＭ制御信号を出力する。電源（Ｖｓ）から出力される駆動電流は、電流維持スイッチング部１２を通して、インダクター（Ｌ）に充電されながら、第１経路２ａに形成されたＬＥＤ光源２０に提供されて、電流感知用抵抗（Ｒｓ）を通して、第３経路（３ａ)を通して流れるようになる（Ｖｓ→Ｌ→ＬＥＤ光源２０→Ｒｓ→Ｖｓ)。ＬＥＤ光源２０に前記駆動電流が提供される初期（ｔ１〜ｔ２)には、ＬＥＤ光源２０が点灯されながら、インダクター（Ｌ）に流れる電流（図３（Ｂ）参照)とＬＥＤ光源２０に流れる電流（図３（Ｃ）参照)の大きさは益々大きくなる。このように、ディスプレイ装置の駆動の初期にＬＥＤ光源２０の応答速度（Ｔ１)は従来とほぼ同じである。
【００３０】
ここで、ＰＷＭ発生部１４は、電流感知用抵抗（Ｒｓ）にかかる比較電圧を検出して、前記検出した比較電圧と前記所定の指令分を比較する。前記比較結果、前記検出した比較電圧が前記所定の指令分の以上の場合（ｔ２時刻)、ＰＷＭ発生部１４はＬＥＤ光源２０に流れる駆動電流の大きさが所定の電流値ｉcの以上であると判断し、電流維持スイッチング部１２をオフさせる。これによって、インダクター（Ｌ）に充電された電流が、第１経路２ａを通してＬＥＤ光源２０に提供されて、電流感知用抵抗（Ｒｓ）を通して、第４経路３ｂを通して、ダイオード（Ｄ）に流れるようになる（Ｌ→ＬＥＤ光源２０→Ｒｓ→Ｄ→Ｌ)。インダクター（Ｌ）に流れる電流（図３（Ｂ）参照)と、ＬＥＤ光源２０に流れる電流（図３（Ｃ）参照)の大きさはｔ２時刻から益々小さくなる。
【００３１】
ＰＷＭ発生部１４は電流維持スイッチング部１２をオフさせた後、所定の周期時間（ｔ３-ｔ２)が経過すると、電流維持スイッチング部１２をまたオンさせる。従って、ｔ３時刻からは、電源（Ｖｓ）から出力される駆動電流がまた（Ｖｓ→Ｌ→ＬＥＤ光源２０→Ｒｓ→Ｖｓ)パスを通して流れるようになる。これによって、インダクター（Ｌ）に流れる電流（図３（Ｂ）参照)とＬＥＤ光源２０に流れる電流（図３（Ｃ）参照)の大きさはさらに大きくなる。
【００３２】
このように、ＰＷＭ発生部１２は、電流感知用抵抗（Ｒｓ）にかかる比較電圧と前記所定の指令分の比較結果及び所定の周期時間に基づき、電流維持スイッチング部１２を反復的にオン／オフ制御する。これに、インダクター（Ｌ)及びＬＥＤ光源２０に流れる電流は、ｉc電流とｉｂ電流の平均値であるｉａの大きさを維持するようになる。
【００３３】
ここで、ＬＥＤ光源２０のターンオフが遂行（ｔ４時刻)されると、制御部４０は図３（Ａ）に示されたようにスイッチング部３０をオンさせるためのＰＷＭ制御信号を出力する。この時、ｔ４時間にＬＥＤ光源２０に流れる電流の大きさが所定の電流値（ｉc)に到達した状態であるため、ＰＷＭ発生部１４は電流維持スイッチング部１２をオフさせる。これにより、ｔ４時刻からは、インダクター（Ｌ）に充電された電流が第２経路２ｂに形成されたスイッチング部３０を通して、電流感知用抵抗（Ｒｓ）を経て、第４経路３ｂを通して、ダイオード（Ｄ)に流れるようになる（Ｌ→スイッチング部３０→Ｒｓ→Ｄ→Ｌ)。インダクター（Ｌ)に流れる電流（図３（Ｂ）参照)は、ｔ４時刻から益々小さくなるようになって、ＬＥＤ光源２０に流れる電流（図３（Ｃ）参照)はｔ４時刻に直ちに遮断されて“０’になる。このように、ＬＥＤ光源２０のターンオフ時に、ＬＥＤ光源２０のオフ応答速度（ｔ３)が短くなり、インダクター（Ｌ）に流れる電流（図３（Ｂ）参照)はＬＥＤ光源２０のターンオン／ターンオフ動作と関係なく益々小さくなる。
【００３４】
ＰＷＭ発生部１４は電流維持スイッチング部１２をオフさせた後、所定の周期時間が経過すると、電流維持スイッチング部１２を再びオンさせる。これに、電源から出力される駆動電流は、電流維持スイッチング部１２を通して、インダクター（Ｌ）に充電されながら、第２経路２ｂのスイッチング部３０と電流感知用抵抗（Ｒｓ）を経て、第３経路３ａを通して流れるようになる（Ｖｓ→Ｌ→スイッチング部３０→Ｒｓ→Ｖｓ)。  インダクター（Ｌ）に流れる電流（図３（Ｂ）参照)の大きさはＬＥＤ光源２０のオン／オフに関係なくまた大きくなる。
【００３５】
このように、ＬＥＤ光源２０のターンオフ時にも、ＰＷＭ発生部１２は、電流感知用抵抗（Ｒｓ）にかかる比較電圧と前記所定の指令分の比較結果及び所定の周期時間に基づき、電流維持スイッチング部１２を反復的にオン／オフ制御する。インダクター（Ｌ）に流れる電流はＬＥＤ光源２０のターンオン／ターンオフ関係なくｉc電流とｉｂ電流の平均値であるｉａ電流の大きさに維持される。
【００３６】
ここで、ＬＥＤ光源２０のターンオンの遂行（ｔ６時刻)が再開されると、制御部４０は図３（Ａ）に示されたようにスイッチング部３０をオフさせるためのＰＷＭ制御信号を出力する。この時、ｔ６時刻はスイッチング部１２をオフさせた後、所定の周期時間が経過した時刻であるため、ＰＷＭ発生部１４は電流維持スイッチング部１２をオンさせる。これにより、ｔ６時刻の以前に（Ｌ→スイッチング部３０→Ｒｓ→Ｄ→Ｌ)パスを通し、インダクター（Ｌ）に流れた電流が、ｔ６時刻から（Ｖｓ→Ｌ→ＬＥＤ光源２０→Ｒｓ→Ｖｓ)パスを通し、ＬＥＤ光源２０に流れるようになる。ＬＥＤ光源２０はインダクター（Ｌ）に流れた電流をｔ６時刻に直ちに提起されるので、ＬＥＤ光源２０ターンオン時、ＬＥＤ光源２０のオン応答速度（ｔ４)が短くなって、インダクター（Ｌ）に流れる電流（図３（Ｂ）参照)はＬＥＤ光源２０)のターンオン／ターンオフ動作と関係なく益々大きくなる。
【００３７】
このように、ＬＥＤ光源２０のターンオン動作時には、ＰＷＭ発生部１２による電流維持スイッチング部１２のオン／オフにより、インダクター（Ｌ）及びＬＥＤ光源２０に流れる電流がｉａの大きさを維持するようになる。
【００３８】
この時、ディスプレイ装置の電源キー（図示せず)が入力されて、ディスプレイ装置の駆動がオフされると（ｔ８時刻)、制御部４０はＰＷＭ発生部１４をディセーブルさせ、電流発生部１０が駆動電流を出力しないようにする。インダクター（Ｌ）及びＬＥＤ光源２０に流れる電流は益々小さくなりｔ９時刻に“０’になる。
【００３９】
本発明によるディスプレイ装置は、ＬＥＤ光源２０のターンオフ時、ＬＥＤ光源２０に提供した駆動電流を（Ｌ→スイッチング部３０→Ｒｓ→Ｄ→Ｌ）パス、または（Ｖｓ→Ｌ→スイッチング部３０→Ｒｓ→Ｖｓ）パスに流れるようにして、ＬＥＤ光源２０に提供する電流を早く“０”に設定させてＬＥＤ光源２０のターンオフ応答速度を改善することができる。
【００４０】
また、本発明によるディスプレイ装置は、ＬＥＤ光源２０のターンオフ中に（Ｌ→スイッチング部３０→Ｒｓ→Ｄ→Ｌ）パス、または（Ｖｓ→Ｌ→スイッチング部３０→Ｒｓ→Ｖｓ）パスを通し、前記駆動電流を常に維持する。これに、ＬＥＤ光源２０の動作がターンオンされると、（Ｌ→スイッチング部３０→Ｒｓ→Ｄ→Ｌ）パス、または（Ｖｓ→Ｌ→スイッチング部３０→Ｒｓ→Ｖｓ）パスを通して維持された前記駆動電流をＬＥＤ光源２０に提供して、ＬＥＤ光源２０に提供する電流を速くｉａ電流として、ＬＥＤ光源２０のオン応答速度を改善することができる。
【００４１】
本発明のいくつかの実施例を図で示して説明したが、本発明の属する技術分野の通常の知識を有する当業者ならば、本発明の原則や精神から一脱することなく本実施例を変形できる。
【図面の簡単な説明】
【００４２】
【図１Ａ】従来の駆動制御方式に適用されるＬＥＤ駆動電流波形の例示図である。
【図１Ｂ】従来の駆動制御方式に適用されるＬＥＤ駆動電流波形の例示図である。
【図２】本発明のディスプレイ装置の制御ブロック図である。
【図３】本発明のディスプレイ装置の制御方式によるＰＷＭ制御信号、インダクターの電流波形及びＬＥＤ駆動電流波形の例示図である。
【符号の説明】
【００４３】
１０  電流発生部
２０  光源
２ａ  第１経路
２ｂ  第２経路
３０  スイッチング部
４０  制御部
５０  使用者入力部
【図１Ａ】
2007013141.tif 000003
【図１Ｂ】
2007013141.tif 000004
【図２】
2007013141.tif 000005
【図３】
2007013141.tif 000006